(57)【要約】【課題】熱交換器を保護する保護網を設けた場合でも、製品全体の寸法が大きくなるのを抑制する。【解決手段】この室外機１は、熱交換器に対して空気を流入する開口を有するケーシングと、開口に対向した正面網１１、及び、当該正面網１１に回転自在に設けられた側面網１２，１３，１４を折り畳み可能に構成した組立保護網１０と、ケーシングと組立保護網１０とを連結し、正面網１１を開口から所定距離離隔させた第１位置から開口に近接する第２位置まで移動させる連結桟２０とを備えている。そして、組立保護網１０を組み立てた使用状態において、正面網１１は、第１位置に配置されると共に、側面網１２，１３，１４は、当該正面網１１から開口に向かって延在するように配置される。また、組立保護網１０を折り畳んで収納した収納状態において、正面網１１は、第２位置に配置されると共に、側面網１２，１３，１４は、当該正面網１１に積層して配置される。【選択図】図７
2010216759.tif 000002
【特許請求の範囲】
【請求項１】
熱交換器と、
前記熱交換器を収納し、前記熱交換器に対して空気を流入する開口を有するケーシングと、
前記開口に対向した正面網、及び、当該正面網に回転自在に設けられた側面網を折り畳み可能に構成した組立保護網と、
前記ケーシングと前記組立保護網とを連結し、前記正面網を前記開口から所定距離離隔させた第１位置から前記開口に近接する第２位置まで移動させるために伸縮可能に構成される連結桟とを備え、
前記組立保護網を組み立てた使用状態において、前記正面網は、前記第１位置に配置されると共に、前記側面網は、当該正面網から前記開口に向かって延在するように配置され、
前記組立保護網を折り畳んで収納した収納状態において、前記正面網は、前記第２位置に配置されると共に、前記側面網は、当該正面網に積層して配置されることを特徴とする、空気調和機の室外機。
【請求項２】
前記組立保護網を組み立てた使用状態において、前記側面網は、前記正面網の端部から前記開口の縁までを覆うように配置されることを特徴とする、請求項１に記載の空気調和機の室外機。
【請求項３】
前記側面網は、前記正面網の右側端部に設けられて当該右側端部に沿った軸を中心に回転自在に設けられた右側面網と、前記正面網の左側端部に設けられて当該左側端部に沿った軸を中心に回転自在に設けられた左側面網と、前記正面網の上端部に設けられて当該上端部に沿った軸を中心に回転自在に設けられた上側面網と含み、
前記組立保護網を組み立てた使用状態において、前記右側面網、前記左側面網及び前記上側面網の各々は、前記正面網の各端部から前記開口に向かって延在するように配置されることによって、当該組立保護網が箱状に組み立てられることを特徴とする、請求項１又は２に記載の空気調和機の室外機。
【請求項４】
前記側面網の前記熱交換器に近接する部分の網目の開口率は、前記熱交換器から離隔する部分の網目の開口率より小さいことを特徴とする、請求項１〜３のいずれか１項に記載の空気調和機の室外機。
【請求項５】
前記側面網の網目の開口率は、前記正面網の網目の開口率より小さいことを特徴とする、請求項１〜４のいずれか１項に記載の空気調和機の室外機。
【請求項６】
前記収納状態の組立保護網を、前記ケーシングに固定する固定部材をさらに備えることを特徴とする、請求項１〜５のいずれか１項に記載の空気調和機の室外機。
【請求項７】
前記連結桟が前記正面網に複数設けられていることを特徴とする、請求項１〜６のいずれか１項に記載の空気調和機の室外機。
【請求項８】
前記連結桟が前記正面網の角部の４箇所に設けられていることを特徴とする、請求項７に記載の空気調和機の室外機。
【発明の詳細な説明】
【技術分野】
【０００１】
本発明は、冷媒と外気との熱交換を行う熱交換器を備えた空気調和機の室外機に関する。
【背景技術】
【０００２】
空気調和機の室外機のケーシングには、その内部に収納された熱交換器に対して外気を供給するための開口が設けられる。このような空気調和機の室外機では、熱交換器がケーシングの開口から露出して、熱交換器に対して物が接触するおそれがあることから、熱交換器を保護するために、ケーシングの開口を覆う保護網が設けられている（例えば、特許文献１参照）。この特許文献１の空気調和機では、降雪が熱交換器に付着しないように、保護網がケーシングの開口の上端から下端に向けて下方ほど外方へと位置するように傾斜して配置されている。
【先行技術文献】
【特許文献】
【０００３】
【特許文献１】実開昭６１−１１００６１号公報
【発明の概要】
【発明が解決しようとする課題】
【０００４】
しかしながら、上記特許文献１に開示される保護網を備えた室外機では、保護網が外方に配置される分だけ、室外機全体の寸法が大きくなるという課題が生じてしまう。これにより、製品出荷時に梱包サイズが大きくなり、輸送効率が低下したり輸送コストが増加したりする等種々の不都合が生じる。
【０００５】
本発明は、上記のような課題を解決するためになされたものであり、熱交換器を保護する保護網を設けた場合でも、製品全体の寸法が大きくなるのを抑制することが可能な空気調和機の室外機を提供することを目的とする。
【課題を解決するための手段】
【０００６】
第１の発明にかかる空気調和機の室外機は、熱交換器と、熱交換器を収納し、熱交換器に対して空気を流入する開口を有するケーシングと、開口に対向した正面網、及び、当該正面網に回転自在に設けられた側面網を折り畳み可能に構成した組立保護網と、ケーシングと組立保護網とを連結し、正面網を開口から所定距離離隔させた第１位置から開口に近接する第２位置まで移動させるために伸縮可能に構成される連結桟とを備え、組立保護網を組み立てた使用状態において、正面網は、第１位置に配置されると共に、側面網は、当該正面網から開口に向かって延在するように配置され、組立保護網を折り畳んで収納した収納状態において、正面網は、第２位置に配置されると共に、側面網は、当該正面網に積層して配置される。
【０００７】
この空気調和機の室外機では、組立保護網が折り畳み可能に構成されているので、製品出荷時等に、側面網をケーシングの開口に近接する第２位置に配置される正面網に積層して配置することができる。これにより、室外機全体の寸法が大きくなるのを抑制することができる。
また、この空気調和機の室外機では、組立保護網を組み立てた使用状態において、ケーシングの開口の正面位置及び側方位置のそれぞれに網部材で構成される正面網及び側面網が配置されるので、組立保護網を設けたとしても、外気の吸入効率が低下するのを抑制することができる。
また、この空気調和機の室外機では、組立保護網を組み立てた使用状態において、正面網が開口から所定距離離隔させた第１位置に配置されるので、正面網と開口との距離を所定距離確保することができる。これにより、正面網の開口率を小さくすることによる熱交換器の性能の低下の回避と、指等の熱交換器への接触を防止することによる安全性の確保と、熱交換器の適切な保護とを両立することができる。
【０００８】
第２の発明にかかる空気調和機の室外機は、第１の発明にかかる空気調和機の室外機において、組立保護網を組み立てた使用状態において、側面網は、正面網の端部から開口の縁までを覆うように配置される。
【０００９】
この空気調和機の室外機では、側面網及び正面網により確実に熱交換器を保護する構成を実現することができる。
【００１０】
第３の発明にかかる空気調和機の室外機は、第１又は第２の発明にかかる空気調和機の室外機において、側面網は、正面網の右側端部に設けられて当該右側端部に沿った軸を中心に回転自在に設けられた右側面網と、正面網の左側端部に設けられて当該左側端部に沿った軸を中心に回転自在に設けられた左側面網と、正面網の上端部に設けられて当該上端部に沿った軸を中心に回転自在に設けられた上側面網と含み、組立保護網を組み立てた使用状態において、右側面網、左側面網及び上側面網の各々は、正面網の各端部から開口に向かって延在するように配置されることによって、当該組立保護網が箱状に組み立てられる。
【００１１】
この空気調和機の室外機では、組立保護網を箱状に組み立てることによって、組立保護網の機械的強度を確保することができる。
【００１２】
第４の発明にかかる空気調和機の室外機は、第１〜第３のいずれかの発明にかかる空気調和機の室外機において、側面網の熱交換器に近接する部分の網目の開口率は、熱交換器から離隔する部分の網目の開口率より小さい。
【００１３】
この空気調和機の室外機では、開口に近接する部分の網目の開口率を小さくしておくことにより、指などが熱交換器に接触するのを確実に防止することができ、熱交換器の適切な保護を図ることができる。
【００１４】
第５の発明にかかる空気調和機の室外機は、第４の発明にかかる空気調和機の室外機において、側面網の網目の開口率は、正面網の網目の開口率より小さい。
【００１５】
この空気調和機の室外機では、正面網より開口に近接する側面網の網目の開口率を小さくしておくことにより、指などが熱交換器に接触するのを確実に防止することができ、熱交換器の適切な保護を図ることができる。
【００１６】
第６の発明にかかる空気調和機の室外機は、第１〜第５のいずれかの発明にかかる空気調和機の室外機において、収納状態の組立保護網を、ケーシングに固定する固定部材をさらに備える。
【００１７】
この空気調和機の室外機では、製品出荷時等に組立保護網が移動しないように、折り畳まれた組立保護網をケーシングに固定して収納しておくことができる。
【００１８】
第７の発明にかかる空気調和機の室外機は、第１〜第６のいずれかの発明にかかる空気調和機の室外機において、連結桟が正面網に複数設けられている。
【００１９】
この空気調和機の室外機では、正面網を移動させる構造が安定し、当該正面網を開口から所定距離離隔させた第１位置に確実に移動させることが可能となる。
【００２０】
第８の発明にかかる空気調和機の室外機は、第１〜第７のいずれかの発明にかかる空気調和機の室外機において、連結桟が正面網の角部の４箇所に設けられている。
【００２１】
この空気調和機の室外機では、正面網を移動させる構造がより安定し、当該正面網を開口から所定距離離隔させた第１位置に確実に移動させることが可能となる。
【発明の効果】
【００２２】
以上の説明に述べたように、本発明によれば、以下の効果が得られる。
【００２３】
第１の発明では、組立保護網が折り畳み可能に構成されているので、製品出荷時等に、側面網をケーシングの開口に近接する第２位置に配置される正面網に積層して配置することができる。これにより、室外機全体の寸法が大きくなるのを抑制することができる。
また、第１の発明では、組立保護網を組み立てた使用状態において、ケーシングの開口の正面位置及び側方位置のそれぞれに網部材で構成される正面網及び側面網が配置されるので、組立保護網を設けたとしても、外気の吸入効率が低下するのを抑制することができる。
また、第１の発明では、組立保護網を組み立てた使用状態において、正面網が開口から所定距離離隔させた第１位置に配置されるので、正面網と開口との距離を所定距離確保することができる。これにより、正面網の開口率を小さくすることによる熱交換器の性能の低下の回避と、指等の熱交換器への接触を防止することによる安全性の確保と、熱交換器の適切な保護とを両立することができる。
【００２４】
また、第２の発明では、側面網及び正面網により確実に熱交換器を保護する構成を実現することができる。
【００２５】
また、第３の発明では、組立保護網を箱状に組み立てることによって、組立保護網の機械的強度を確保することができる。
【００２６】
また、第４の発明では、開口に近接する部分の網目の開口率を小さくしておくことにより、指などが熱交換器に接触するのを確実に防止することができ、熱交換器の適切な保護を図ることができる。
【００２７】
また、第５の発明では、正面網より開口に近接する側面網の網目の開口率を小さくしておくことにより、指などが熱交換器に接触するのを確実に防止することができ、熱交換器の適切な保護を図ることができる。
【００２８】
また、第６の発明では、製品出荷時等に組立保護網が移動しないように、折り畳まれた組立保護網をケーシングに固定して収納しておくことができる。
【００２９】
また、第７の発明では、正面網を移動させる構造が安定し、当該正面網を開口から所定距離離隔させた第１位置に確実に移動させることが可能となる。
【００３０】
また、第８の発明では、正面網を移動させる構造がより安定し、当該正面網を開口から所定距離離隔させた第１位置に確実に移動させることが可能となる。
【図面の簡単な説明】
【００３１】
【図１】本発明の第１実施形態に係る空気調和機の室外機の背面側から見た斜視図である。
【図２】図１に示した室外機の内部構造を示した模式断面図である。
【図３】図１に示した室外機の組立保護網の詳細を説明するための平面図である。
【図４】図１に示した室外機の組立保護網が連結桟によって第１位置から第２位置まで移動する様子を示した模式側面図である。
【図５】図１に示した室外機の連結桟を示した斜視図である。
【図６】図１に示した室外機の固定フックの（ａ）側面図及び（ｂ）正面図である。
【図７】図１に示した室外機の組立保護網の組立方法を示した斜視図である。
【図８】本発明の第２実施形態に係る空気調和機の室外機の組立保護網の詳細を説明するための平面図である。
【図９】図１に示した室外機の支持部の（ａ）側面図及び（ｂ）正面図である。
【図１０】本発明の変形例に係る空気調和機の室外機の組立保護網の詳細を説明するための平面図である。
【発明を実施するための形態】
【００３２】
以下、図面に基づいて、本発明に係る空気調和機の室外機の実施形態について説明する。
【００３３】
（第１実施形態）
［空気調和機の室外機１の全体構成］
本実施形態に係る空気調和機の室外機１は、室外に配置されており、室内に配置される室内機と共に室内の温度又は湿度を調節する空気調和機を構成する。空気調和機の室外機１は、図１及び図２に示すように、略直方体形状のケーシング３と、このケーシング３の内部に収容される熱交換器２と、室外ファン４と、圧縮機５とを備えている。
【００３４】
ケーシング３の背面には、矩形状の吸気用開口３ａが形成されると共に、ケーシング３の前面には、吸気用開口３ａからケーシング３内に吸い込まれた外気を吹き出すための排気用開口３ｂ（図２参照）が形成されている。この排気用開口３ｂと熱交換器２との間には、室外ファン４が配置されている。室外ファン４は、吸気用開口３ａから外気を吸い込むと共に、その吸い込んだ外気を熱交換器２を通過させた後、排気用開口３ｂから排出する。
【００３５】
熱交換器２は、複数のフィン（図示せず）と、複数のフィンを貫通し冷媒が流れる伝熱管（図示せず）とを有しており、吸気用開口３ａから吸い込まれた外気と伝熱管を流れる冷媒との熱交換を行う。この熱交換器２は、吸気用開口３ａを塞ぐように、起立状態で吸気用開口３ａ近傍のケーシング３内部に配置され、その一部が吸気用開口３ａから露出している。
【００３６】
［組立保護網１０］
ここで、本実施形態では、ケーシング３の背面には、吸気用開口３ａから露出する熱交換器２を覆う組立保護網１０が取り付けられている。この組立保護網１０は、図３に示すように、吸気用開口３ａに対向した矩形状の正面網１１と、正面網１１の右側端部に設けられて当該右側端部に沿った軸を中心に回転自在に設けられた右側面網１２と、正面網１１の左側端部に設けられて当該左側端部に沿った軸を中心に回転自在に設けられた左側面網１３と、正面網１１の上側端部に設けられて当該上側端部に沿った軸を中心に回転自在に設けられた上側面網１４とを有している。このように、正面網１１の端部に側面網１２，１３，１４の各々を回転可能に取り付けることによって、組立保護網１０は折り畳み可能に構成される。この折り畳み可能な組立保護網１０は、側面網１２，１３，１４の各々が正面網１１の各端部から吸気用開口３ａに向かって延在するように配置されることによって箱状に組み立てられると共に（図７（ｃ）参照）、側面網１２，１３，１４の各々が正面網１１に積層して配置されることによって折り畳まれる（図７（ａ）参照）。そして、本実施形態では、組立保護網１０を組み立てた使用状態において、正面網１１は、吸気用開口３ａから所定距離離隔させた第１位置Ｐ１（図４参照）に配置されると共に、側面網１２，１３，１４は、当該正面網１１から、吸気用開口３ａに向かって延在するように配置される。また、組立保護網１０を折り畳んで収納した収納状態において、正面網１１は、吸気用開口３ａに近接する第２位置Ｐ２（図４参照）に配置されると共に、側面網１２，１３，１４は、当該正面網１１に積層して配置される。なお、本実施形態では、正面網１１の下端と吸気用開口３ａの下縁との間には、下側面網が設けられておらず、開口状態となっている。
【００３７】
正面網１１は、図４に示すように、後述する連結桟２０によって、吸気用開口３ａから所定距離離間させた第１位置Ｐ１から吸気用開口３ａに近接する第２位置Ｐ２まで移動可能に構成されている。図３及び図５に示すように、正面網１１の上端の角部には、側面網１２，１３，１４の各々が正面網１１に積層された状態の組立保護網１０をケーシング３に固定するための固定フック（固定部材）１１Ｒ及び１１Ｌが設けられている。この固定フック１１Ｒ及び１１Ｌは、図６に示すように、正面網１１の本体部分から熱交換器２側（図中のＸ方向側）に配置されている。固定フック１１Ｒ及び１１Ｌは、先端がＵ字状に形成され、当該Ｕ字状の先端をケーシング３の背面に形成されるフック用孔３ｃ（図５参照）に引っ掛けることによって、ケーシング３の背面に折り畳んだ状態の組立保護網１０を固定して収納することが可能となる。
【００３８】
右側面網１２は、図７に示すように、組立保護網１０を組み立てた使用状態において、正面網１１の右側端部に沿った軸を中心に回転して、正面網１１の右側端部から吸気用開口３ａの右縁までを覆うように配置される。また、左側面網１３も同様に、組立保護網１０を組み立てた使用状態において、正面網１１の左側端部に沿った軸を中心に回転して、正面網１１の左側端部から吸気用開口３ａの左縁までを覆うように配置される。また、上側面網１４も同様に、組立保護網１０を組み立てた使用状態において、正面網１１の上側端部に沿った軸を中心に回転して、正面網１１の上側端部から吸気用開口３ａの上縁までを覆うように配置される。図３及び図７の部分拡大図に示すように、側面網１２，１３，１４の各々には、ヒンジ部１２ａ，１３ａ，１４ａが設けられており、そのヒンジ部１２ａ，１３ａ，１４ａによって側面網１２，１３，１４が正面網１１に対して回転自在となっている。
【００３９】
また、本実施形態では、図３に示すように、組立保護網１０を組み立てた使用状態において、側面網１２，１３，１４の熱交換器２に近接する部分Ｐ１２，Ｐ１３，Ｐ１４の網目の開口率は、熱交換器２から離隔する部分（正面網１１に近接する部分）Ｑ１２，Ｑ１３，Ｑ１４の網目の開口率より小さくなっている。具体的には、各側面網１２，１３，１４の熱交換器２に近接する部分の網目の幅Ｗ１２，Ｗ１３，Ｗ１４は、指等が通り抜けない１０ｍｍ〜１５ｍｍ程度が好ましい。また、各側面網１２，１３，１４の熱交換器２から離隔する部分及び正面網１１の網目の幅は、上記した幅Ｗ１２，Ｗ１３，Ｗ１４よりも大きく設定されており、熱交換器２への外気の通気性を確保している。
【００４０】
また、図３及び図７の部分拡大図に示すように、右側面網１２の上端には、右側面網１２と上側面網１４とを組み立てた状態で係止する係止フック１２ｂが設けられている。また、左側面網１３の上端にも、左側面網１３と上側面網１４とを組み立てた状態で係止する係止フック１３ｂ（図３参照）が設けられている。また、上側面網１４の右側端部には、右側面網１２と上側面網１４とを組み立てた状態で係止する係止フック１４ｂが設けられると共に、上側面網１４の左側端部には、左側面網１３と上側面網１４とを組み立てた状態で係止する係止フック１４ｂが設けられる。これらの係止フック１２ｂ、１３ｂ及び１４ｂの先端は、Ｃ字状であって、側面網１２，１３，１４の線材に嵌合することによって側面網１２，１３，１４が互いに固定される。
【００４１】
［連結桟２０］
また、本実施形態の室外機１は、図４及び図５に示すように、ケーシング３と組立保護網１０とを連結する連結桟２０を備えている。連結桟２０は、図５に示すように、一端がケーシング３の背面に形成されるフック用孔３ｃに取り付けられると共に、他端が組立保護網１０の正面網１１に取り付けられている。そして、連結桟２０は、端部で連結された２つの連結部材から構成されることで伸縮可能となっている。連結桟２０は、図４に示すように、正面網１１を吸気用開口３ａから所定距離離間させた第１位置Ｐ１から吸気用開口３ａに近接する第２位置Ｐ２まで移動させる。本実施形態では、連結桟２０は、正面網１１の角部の４箇所に取り付けられている。
【００４２】
［組立保護網１０の組立方法］
次に、組立保護網１０の組立方法について説明する。
まず、図５に示すように、正面網１１の固定フック１１Ｒ及び１１Ｌを、ケーシング３の背面に形成されるフック用孔３ｃから外して、組立保護網１０とケーシング３との固定を解除する。そして、図４及び図７（ａ）（ｂ）に示すように、縮小した連結桟２０を引き延ばすことによって、第２位置Ｐ２に配置された折り畳み状態の組立保護網１０を第１位置Ｐ１に配置する。そして、図７（ｃ）に示すように、正面網１１各端部から吸気用開口３ａの各辺の縁までを覆うように、側面網１２，１３，１４をそれぞれ回転させる。この際、図７の部分拡大図に示すように、右側面網１２の係止フック１２ｂ及び左側面網１３の係止フック１３ｂを、それぞれ上側面網１４の線材に嵌合させると共に、上側面網１４の右側端部に設けられる係止フック１４ｂ及び左側端部に設けられる係止フック１４ｂを、それぞれ右側面網１２及び左側面網１３の線材に嵌合させる。このようにして、組立保護網１０が箱状に組立てられる。
【００４３】
［本実施形態の室外機の特徴］
本実施形態の室外機１には、以下のような特徴がある。
【００４４】
本実施形態の室外機１では、組立保護網１０が折り畳み可能に構成されているので、製品出荷時等に、側面網１２，１３，１４を、吸気用開口３ａに近接する第２位置Ｐ２に配置される正面網１１に積層して配置することができる。これにより、室外機１全体の寸法が大きくなるのを抑制することができる。
【００４５】
また、本実施形態の室外機１では、組立保護網１０を組み立てた使用状態において、ケーシング３の吸気用開口３ａの正面位置及び側方位置のそれぞれに網部材で構成される正面網１１及び側面網１２，１３，１４が配置されるので、組立保護網１０を設けたとしても、外気の吸入効率が低下するのを抑制することができる。
【００４６】
また、本実施形態の室外機１では、組立保護網１０を組み立てた使用状態において、正面網１１が吸気用開口３ａから所定距離離隔させた第１位置Ｐ１に配置されるので、正面網１１と吸気用開口３ａとの距離を所定距離確保することができる。これにより、正面網１１の開口率を小さくすることによる熱交換器２の性能の低下の回避と、指等の熱交換器２への接触を防止することによる安全性の確保と、熱交換器２の適切な保護とを両立することができる。
【００４７】
また、本実施形態の室外機１では、組立保護網１０を組み立てた使用状態において、側面網１２，１３，１４が正面網１１の端部から吸気用開口３ａの縁までを覆うように配置されることによって、当該側面網１２，１３，１４及び正面網１１により確実に熱交換器２を保護する構成を実現することができる。
【００４８】
また、本実施形態の室外機１では、右側面網１２、左側面網１３及び上側面網１４の各々が、正面網１１の各端部から吸気用開口３ａに向かって延在するように配置されることで、組立保護網１０が箱状に組み立てられるので、組立保護網１０の機械的強度を確保することができる。
【００４９】
また、本実施形態の室外機１では、側面網１２，１３，１４の熱交換器２に近接する部分Ｐ１２，Ｐ１３，Ｐ１４の網目の開口率を、熱交換器２から離隔する部分Ｑ１２，Ｑ１３，Ｑ１４の網目の開口率より小さくすることによって、指などが熱交換器２に接触するのを確実に防止することができ、熱交換器２の適切な保護を図ることができる。
【００５０】
また、本実施形態の室外機１では、収納状態の組立保護網１０を、ケーシング３に固定する固定フック１１Ｒ及び１１Ｌを設けることによって、製品出荷時等に組立保護網１０が移動しないように、折り畳まれた組立保護網１０をケーシング３に固定して収納しておくことができる。
【００５１】
また、本実施形態の室外機１では、連結桟２０を正面網１１の角部の４箇所に設けることによって、正面網１１を移動させる構造が安定し、当該正面網１１を吸気用開口３ａから所定距離離隔させた第１位置Ｐ１に確実に移動させることが可能となる。
【００５２】
（第２実施形態）
次に、図８及び図９を参照して、本発明の第２実施形態に係る空気調和機の室外機に取り付けられる組立保護網について説明する。なお、この第２実施形態では、上記した第１実施形態と同様の構成については同一番号を付しその説明を適宜省略する。
【００５３】
本実施形態では、ケーシング３の背面には、吸気用開口３ａから露出する熱交換器２を覆う組立保護網１１０が取り付けられている。この組立保護網１１０は、図８に示すように、吸気用開口３ａに対向した矩形状の正面網１１１と、正面網１１１の右側端部に設けられて当該右側端部に沿った軸を中心に回転自在に設けられた右側面網１１２と、正面網１１１の左側端部に設けられて当該左側端部に沿った軸を中心に回転自在に設けられた左側面網１１３と、正面網１１１の上側端部に設けられて当該上側端部に沿った軸を中心に回転自在に設けられた上側面網１１４とを有している。このように、正面網１１１の端部に側面網１１２，１１３，１１４の各々を回転可能に取り付けることによって、組立保護網１１０は折り畳み可能に構成される。この折り畳み可能な組立保護網１１０は、側面網１１２，１１３，１１４の各々が正面網１１１の各端部から吸気用開口３ａに向かって延在するように配置されることによって箱状に組み立てられると共に、側面網１１２，１１３，１１４の各々が正面網１１１に積層して配置されることによって折り畳まれる。そして、本実施形態では、組立保護網１１０を組み立てた使用状態において、正面網１１１は、吸気用開口３ａから所定距離離隔させた第１位置Ｐ１（図４参照）に配置されると共に、側面網１１２，１１３，１１４は、当該正面網１１１から、吸気用開口３ａに向かって延在するように配置される。また、折り畳んだ組立保護網１１０を収納した収納状態において、正面網１１１は、吸気用開口３ａに近接する第２位置Ｐ２（図４参照）に配置されると共に、側面網１１２，１１３，１１４は、当該正面網１１１に積層して配置される。
【００５４】
そして、本実施形態では、図８及び図９に示すように、組立保護網１１０を箱形に組み立てた使用状態においてケーシング３に近接する右側面網１１２及び左側面網１１３の下端の角部のそれぞれには、組立保護網１１０を支持する支持部１１２ｃ及び１１３ｃが設けられている。この支持部１１２ｃ及び１１３ｃの先端は、略くの字状に屈曲して形成されており、当該略くの字状の先端がケーシング３に係合する。なお、当該支持部１１２ｃ及び１１３ｃを設ける場合には、正面網１１１の下端に設けられる連結桟２０は不要になる。
【００５５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５６】
例えば、上記実施形態では、側面網１２，１３，１４の熱交換器２に近接する部分Ｐ１２，Ｐ１３，Ｐ１４の網目の開口率を熱交換器２から離隔する部分（正面網１１に近接する部分）Ｑ１２，Ｑ１３，Ｑ１４の網目の開口率より小さくしたが、本発明はこれに限らず、図１０に示した変形例に係る組立保護網２１０のように、側面網２１２，２１３，２１４の網目の開口率を、それぞれ正面網２１１の網目の開口率のより小さくしてもよい。このように構成すれば、指などが熱交換器２に接触するのを確実に防止することができ、熱交換器２の適切な保護を図ることができる。
【００５７】
また、上記実施形態では、連結桟２０を２つの部材２１及び２２により構成する例について説明したが、本発明はこれに限らず、正面網１１を第１位置から第２位置まで移動させるために伸縮可能であれば、いかなる構造であってもよい。
【００５８】
また、上記実施形態では、固定フック１１Ｒ及び１１Ｌによって、側面網１２，１３，１４が正面網１１に積層された状態の組立保護網１０をケーシング３に固定したが、本発明はこれに限らず、積層された状態の組立保護網１０をケーシング３に固定可能であれば、固定部材の形状はフック形状に限定されない。
【００５９】
また、上記実施形態では、２つの連結部材２１及び２２から構成されることで可能となっている連結桟２０を用いたが、本発明はこれに限らず、正面網１１を吸気用開口３ａから所定距離離隔させた第１位置Ｐ１から吸気用開口３ａに近接する第２位置Ｐ２まで移動させるために伸縮可能であれば、いかなる機構であってもよい。
【産業上の利用可能性】
【００６０】
本発明を利用すれば、熱交換器を保護する保護網を設けた場合でも、製品全体の寸法が大きくなるのを抑制することが可能な空気調和機の室外機を得ることができる。
【符号の説明】
【００６１】
１  空気調和機の室外機
２  熱交換器
３  ケーシング
３ａ  吸気用開口（開口）
１０，１１０，２１０  組立保護網
１１，１１１，２１１  正面網
１１Ｌ，１１Ｒ  固定フック（固定部材）
１２，１１２，２１２  右側面網（側面網）
１３，１１３，２１３  左側面網（側面網）
１４，１１４，２１４  上側面網（側面網）
２０  連結桟
Ｐ１  第１位置
Ｐ２  第２位置
【図１】
2010216759.tif 000003
【図２】
2010216759.tif 000004
【図３】
2010216759.tif 000005
【図４】
2010216759.tif 000006
【図５】
2010216759.tif 000007
【図６】
2010216759.tif 000008
【図７】
2010216759.tif 000009
【図８】
2010216759.tif 000010
【図９】
2010216759.tif 000011
【図１０】
2010216759.tif 000012